(57)【要約】【課題】室内側の水が室外側により浸入し難い建具等を提供する。【解決手段】下枠と左右の縦枠とを有し、室内と室外との間に設けられた枠体と、該枠体に開閉自在に取り付けられた障子と、前記室内の水が前記下枠の上面と前記縦枠との隙間を通って前記室外へ流出することを防止するための止水部材と、を有する建具であって、  前記止水部材は、前記下枠の前記上面と当接される第１当接部と、前記上面より下方にて前記下枠に当接される第２当接部と、を有する。【選択図】図５
2008223274.tif 000002
【特許請求の範囲】
【請求項１】
下枠と縦枠とを有し、室内と室外との間に設けられた枠体と、
該枠体に開閉自在に取り付けられた障子と、
前記室内の水が前記下枠の上面と前記縦枠との隙間を通って前記室外へ流出することを防止するための止水部材と、
を有する建具であって、
前記止水部材は、前記下枠の前記上面と当接される第１当接部と、前記上面より下方にて前記下枠に当接される第２当接部と、を有することを特徴とする建具。
【請求項２】
請求項１に記載の建具であって、
前記第１当接部及び前記第２当接部のうちの少なくともいずれか一方は可撓性を有し、前記下枠の前記上面に当接されて屈曲していることを特徴とする建具。
【請求項３】
請求項１または請求項２に記載の建具であって、
前記止水部材は前記下枠上に当接される座部を有し、
前記座部の前記下枠に当接される下面には上方に窪む凹部を有し、
前記第１当接部は、可撓性を有し、前記凹部内に設けられているとともに当該凹部から突出していることを特徴とする建具。
【請求項４】
請求項１乃至請求項３のいずれかに記載の建具であって、
前記下枠には、前記障子の下框との間をシールするための下シール部材が設けられ、
前記下シール部材と前記止水部材との間には弾性部材が介在されていることを特徴とする建具。
【請求項５】
請求項１乃至請求項４のいずれかに記載の建具であって、
前記縦枠は、見付け方向に突出し、前記縦枠と前記障子の縦框との間をシールするための縦シール部材を保持する保持板部を有し、
前記保持板部は、前記止水部材の前記座部上に当接され、
前記止水部材は、前記保持板部の室外側面と対面する室外側部と、当該室外側部から繋がって見込み方向に沿って室内側に延出された室内延出部とを有し、
前記室内延出部と縦シール部材との間には、前記室外側部及び前記室内延出部より高さが低い弾性部材が設けられ、
前記室外側部と前記保持板部との間隙に進入した水は、前記弾性部材より水位が高くなったときに前記室内延出部と縦シール部材との間から前記弾性部材の上を通って室内側に排出されることを特徴とする建具。
【請求項６】
請求項４または請求項５に記載の建具であって、
前記弾性部材は、スポンジであることを特徴とする建具。
【請求項７】
請求項５または請求項６に記載の建具であって、
前記下シール部材の上部には、見付け方向に沿って溝部が設けられており、
前記弾性部材の上を通った水は、前記溝部を通って、見付け方向における反対側にて室内側に排出されることを特徴とする建具。
【請求項８】
請求項１乃至請求項７のいずれかに記載の建具であって、
前記止水部材の室外側には、下方に向かって前記止水部材及び前記縦枠から離れる方向に向かって高さが低くなる部位が設けられていることを特徴とする建具。
【請求項９】
室内と室外との間に設けられた下枠の上面と縦枠との隙間を通って前記室内の水が前記室外へ流出することを防止するための止水部材であって、
前記下枠の前記上面に当接される第１当接部と、前記上面より下方にて前記下枠に当接される第２当接部と、を有することを特徴とする止水部材。
【発明の詳細な説明】
【技術分野】
【０００１】
本発明は、室内の水が室外へ流出することを防止するための止水部材を有する建具、及び、止水部材に関する。
【背景技術】
【０００２】
室内の水が室外へ流出することを防止するための止水部材として、例えば浴室建具の下枠と縦枠と閉塞状態の障子の縦框とで構成される脱衣室側の下コーナー部分において、下枠に固定された水返しブロックが知られている（例えば、特許文献１参照）。そして、水返しブロックの下面は、下枠等の表面に密着すべく、それらの表面形状に合わせて形成されている。
【特許文献１】特開２００５−３３６９２７号公報
【発明の開示】
【発明が解決しようとする課題】
【０００３】
しかしながら、水返しブロックの下面が下枠等の表面形状に合わせて形成されていても、水返しブロックに水がかかると、下枠の上面から室外側に水が浸入する畏れがあるという課題がある。
【０００４】
本発明は、かかる課題に鑑みてなされたものであり、その目的とするところは、室内側の水が室外側により浸入し難い建具、及び、止水部材を提供することにある。
【課題を解決するための手段】
【０００５】
かかる目的を達成するために本発明の建具は、下枠と縦枠とを有し、室内と室外との間に設けられた枠体と、該枠体に開閉自在に取り付けられた障子と、前記室内の水が前記下枠の上面と前記縦枠との隙間を通って前記室外へ流出することを防止するための止水部材と、を有する建具であって、前記止水部材は、前記下枠の前記上面と当接される第１当接部と、前記上面より下方にて前記下枠に当接される第２当接部と、を有することを特徴とする建具である。  
このような建具によれば、室内の水が下枠の上面と縦枠との隙間を通って室外へ流出することを防止するための止水部材は、下枠の上面と当接される第１当接部と、上面より下方にて下枠に当接される第２当接部とを有しているので、室内側の水が室外側に流出する方向に流れても、第１当接部と第２当接部との少なくとも２つの当接部により室外側への水の流出が阻止される。このため、室内側の水が室外側に、より浸入し難い建具を実現することが可能である。
【０００６】
かかる建具であって、前記第１当接部及び前記第２当接部のうちの少なくともいずれか一方は可撓性を有し、前記下枠の前記上面に当接されて屈曲していることが望ましい。  
このような建具によれば、第１当接部及び第２当接部の少なくともいずれか一方が可撓性を有し、下枠の上面に当接されて屈曲しているので、上面に当接されている第１当接部及び第２当接部は、屈曲の撓みによる弾性により下枠の上面に押圧された状態で当接されている。このため、室内の水が下枠の上面と縦枠との隙間を通って室外へ流出することをより効果的に防止することが可能である。
【０００７】
かかる建具であって、前記止水部材は前記下枠上に当接される座部を有し、前記座部の前記下枠に当接される下面には上方に窪む凹部を有し、前記第１当接部は、可撓性を有し、前記凹部内に設けられているとともに当該凹部から突出していることが望ましい。  
このような建具によれば、可撓性を有する第１当接部は、座部の下面に設けられた上方に窪む凹部から突出させて設けられているので、座部が下枠上に載置された際には、第１当接部の突出している部位が下枠に押圧されるとともに下枠上に沿うように撓み変形する。このため、第１当接部が下枠に密着されるので、室内の水が下枠の上面を通って室外へ流出することを、より確実に防止することが可能である。また、第１当接部が凹部に設けられているので、第１当接部の、下枠に当接されて撓んだ部位は凹部に入り込むことが可能である。このため、第１当接部が凹部に入り込むことにより、座部の下面も下枠の上面に密着させることが可能なので、座部の下面全体としても室外側への水の浸入を防止すること可能である。
【０００８】
かかる建具であって、前記下枠には、前記障子の下框との間をシールするための下シール部材が設けられ、前記下シール部材と前記止水部材との間には弾性部材が介在されていることが望ましい。  
このような建具によれば、下枠と障子の下框との間は下シール部材にてシールされており、下シール部材と止水部材との間には弾性部材が介在されているので、障子の下框から止水部材までの領域を全域に亘って、室外側に水が浸入することを防止することが可能である。
【０００９】
かかる建具であって、前記縦枠は、見付け方向に突出し、前記縦枠と前記障子の縦框との間をシールするための縦シール部材を保持する保持板部を有し、前記保持板部は、前記止水部材の前記座部上に当接され、前記止水部材は、前記保持板部の室外側面と対面する室外側部と当該室外側部から繋がって見込み方向に沿って室内側に延出された室内延出部とを有し、前記室内延出部と縦シール部材との間には、前記室外側部及び前記室内延出部より高さが低い弾性部材が設けられ、前記室外側部と前記保持板部との間隙に進入した水は、前記弾性部材より水位が高くなったときに前記室内延出部と縦シール部材との間から前記弾性部材の上を通って室内側に排出されることが望ましい。
【００１０】
止水部材の座部上に縦枠の見付け方向に突出されている保持板部が当接されているので、座部上に浸入した水は、保持板部の室外側に位置する室外側部と保持板部との間隙に浸入する畏れがある。そして、室外側部から繋がった室内延出部と保持板部に設けられた縦シール部材との間には室外側部及び前記室内延出部より高さが低い弾性部材が設けられているので、たとえ室外側部と保持板部との間隙に水が浸入したとしても、弾性部材の高さまでは室外側部と保持板部との間隙に水を貯留させることが可能である。そして、室外側部と保持板部との間隙に貯留された水の水位が弾性部材より高くなった場合には、弾性部材の上を流路として、室外側部と保持板部との間隙に貯留された水を室内側に流すことにより、室外側部と保持板部との間隙に浸入した水が室外側に流出することを防止することが可能である。
【００１１】
かかる建具であって、前記弾性部材は、スポンジであることが望ましい。  
このような建具によれば、下シール部材と室内延出部とを、また、縦シール部材と室内延出部とを、スポンジの弾性により密着させて、それらの間に水が浸入しにくい構成とすることが可能である。また、スポンジは吸水性を有するので、下シール部材と室内延出部との間、及び、縦シール部材と室内延出部との間では、スポンジ内を通して室内側に水を流出させることが可能である。
【００１２】
かかる建具であって、前記下シール部材の上部には、見付け方向に沿って溝部が設けられており、前記弾性部材の上を通った水は、前記溝部を通って、見付け方向における反対側にて室内側に排出されることが望ましい。  
このような建具によれば、下シール部材は弾性部材と接触しているので、弾性部材を介して室外に流出する水を上部の溝部を通して見付け方向の反対側に排出することが可能である。このため、止水部材側で水が溢れる場合には、下シール部材上の溝部を通して、見付け方向の反対側に水を流すことにより、水が室外側に溢れ出ることを防止することが可能である。
【００１３】
かかる建具であって、前記止水部材の室外側には、下方に向かって前記止水部材及び前記縦枠から離れる方向に向かって高さが低くなる部位が設けられていることが望ましい。
【００１４】
止水部材は、建具の下隅に設けられるが、下隅には埃等が溜まりやすい。このため止水部材の室外側に、下方に向かって止水部材及び縦枠から離れる方向に高さが低くなる部位が設けられていると、下隅に落ちる埃等を隅から離れた位置に移動させることが可能である。特に、下隅に設けられる止水部材に、当該止水部材及び縦枠から離れる方向に高さが低くなる部位を設けることにより、他の部材を別途設けることなく、下隅に埃等が溜まりにくい構成とすることが可能である。
【００１５】
また、室内と室外との間に設けられた下枠の上面と縦枠との隙間を通って前記室内の水が前記室外へ流出することを防止するための止水部材であって、前記下枠の前記上面に当接される第１当接部と、前記上面より下方にて前記下枠に当接される第２当接部と、を有することを特徴とする止水部材である。
【００１６】
このような止水部材によれば、下枠の上面と当接される第１当接部と、上面より下方にて下枠に当接される第２当接部とを有しているので、室内側の水が室外側に流出する方向に流れても、第１当接部と第２当接部との少なくとも２つの当接部により室外側への水の流出が阻止される。このため、室内側の水が室外側に、より浸入し難い止水部材を実現することが可能である。
【発明の効果】
【００１７】
本発明によれば、室内側の水が室外側により浸入し難い建具、及び、止水部材を提供することが可能である。
【発明を実施するための最良の形態】
【００１８】
以下、本発明の一実施形態に係る建具について図１〜６を参照して説明する。  
本実施形態に係る建具１０は、図１、図２に示すように、躯体に固定され、室内としての浴室内と室外としての浴室外との間の開口を形成する枠体１２と、開口を開閉自在に設けられた障子としての折れ戸２０と、後に詳述する止水部材５０と、を有している。
【００１９】
以下の説明では、建具１０を浴室内側から見たときに上下となる方向を上下方向、左右となる方向を左右方向または見付け方向、浴室の内外方向である奥行き方向を見込み方向として示す。
【００２０】
枠体１２は、折れ戸２０の上下に位置する上枠１３及び下枠１４と、左右に位置する縦枠１５、１６とを有している。上枠１３及び下枠１４には、折れ戸２０が開閉する際に案内されるレール１８が設けられている。また、下枠１４は、レール１８が設けられている浴室内側の内側上面１４ａと、折れ戸２０より浴室外側の外側上面１４ｂとの間に、外側上面１４ｂが高くなるような段差が設けられている。そして、下枠１４にて段差が異なる境界部近傍には、折れ戸２０を閉止した状態で折れ戸２０の下框２２ｂ、２４ｂに当接される下シール部材１９が見付け方向に沿って設けられている。下シール部材１９の上部には、見付け方向に沿って溝部１９ａが浴室内側に傾斜するように設けられている。
【００２１】
左右の縦枠１５、１６は、見付け方向において互いに対向する側に向かって突出する保持板部１７が、上下方向の全域に亘って設けられている。保持板部１７の浴室外側の面は平坦に形成され、浴室内側の面には、後述する止水部材５０に設けられた柱部５８の係合部５８ａに入り込む係合突部１７ａ、及び、縦枠１５、１６と折れ戸２０の縦框２２ａ、２４ａとの間をシールするための縦シール部材２８を保持するシール保持部１７ｂが、保持板部１７の上下方向における全域に亘り、見付け方向に並べて形成されている。
【００２２】
折れ戸２０は、左右一対の扉体２２、２４を備えており、双方の扉体２２、２４は、それらの間に設けられたヒンジにより連結されている。また、扉体２２、２４の、下枠１４の長手方向において端部側に位置する縦框２２ａ、２４ａ（図１）の下方には、扉体２２、２４を回動可能に支持するための一対の扉体支持部材（不図示）が設けられており、その一方は、下枠１４に固定され、他方は、下枠１４に設けられたレール１８上をスライドできるように構成されている。
【００２３】
本実施形態の扉体２２、２４は、右側の扉体２４の右端側に回動軸を有して回動自在に支持されており、左側の扉体２２の左端側がレール１８上をスライド可能に設けられている。そして、折れ戸２０は、双方の扉体２２、２４（縦框２２ａ、２４ａ）が対面して近接するように扉体２２、２４の連結部分が浴室内側に移動されて折り曲げられることにより開放される。また、扉体２２、２４を閉じた状態では、縦枠１５、１６に設けられた縦シール部材２８が、縦框２２ａ、２４ａの上下方向におけるほぼ全域に亘って当接されている。
【００２４】
止水部材５０は、浴室内の水が下枠１４の上面としての内側上面１４ａ及び外側上面１４ｂと左の縦枠１５または右の縦枠１６、より具体的には、左右の縦枠１５、１６の保持板部１７との隙間を通って浴室外へ流出することを防止するための樹脂製の部材である。この止水部材５０は、左右の縦枠１５、１６の長手方向において下側、かつ、下枠１４の見付け方向において両端部側に設けられている。すなわち、建具１０は、二つの止水部材５０を備えており、各々の止水部材５０は、建具１０の左下隅と右下隅（図１において、丸印で示す）にそれぞれ設けられている。なお、当該左下隅の止水部材５０と当該下右隅の止水部材５０の構成等は、ほぼ同様なので、以下、左下隅の止水部材５０について説明する。
【００２５】
図４、図５に示すように、本実施の形態の止水部材５０は、下枠１４に当接される下面５２ａを有する座部５２と、座部５２から上方に設けられ、左側の縦枠１５の保持板部１７の浴室外側の面と見込み方向に間隔を隔てて対面する室外側部５４と、室外側部５４の右端から繋がって見込み方向に沿って浴室内側に延出された室内延出部５６と、を有している。また、座部５２の上面には、およそ半分より左側、すなわち左側の縦枠１５側に配置され、保持板部１７に設けられた係合突部１７ａが入り込む係合部５８ａを有する柱部５８が、室外側部５４と見込み方向における浴室内側に間隔を隔てて設けられている。更に、室外側部５４の浴室外側の面は、止水部材５０が枠体１２に取り付けられた際に、下方に向かって止水部材５０及び左側の縦枠１５から離れる方向に向かって高さが低くなる部位としてのスロープ５４ａが形成されている。
【００２６】
また、座部５２の下面５２ａには、上方に窪む凹部５２ｂが見付け方向に沿って形成され、更に、凹部５２ｂ内からは、僅かに浴室内側に傾斜されつつ垂下され、下面５２ａより下方に突出する第１当接部５２ｃが設けられている。また、座部５２の浴室内側の端部は下方に垂下され、その先端部は、下面５２ａ及び第１当接部５２ｃより下方に突出する第２当接部５２ｄをなしている。第１当接部５２ｃ及び第２当接部５２ｄは、他の部位より薄肉状をなして可撓性を有し弾性変形可能に形成されている。ここで、第１当接部５２ｃは、必ずしも浴室内側に傾斜されつつ垂下されていなくても良く、例えば浴室外側に傾斜されつつ垂下されていたり傾斜されていなくとも良い。ただし、第１当接部５２ｃが、いずれかの方向に傾斜していることにより、下枠１４に当接させた際に、下枠１４の外側上面１４ｂに沿って容易に屈曲させることが可能である。
【００２７】
そして、座部５２の下面５２ａが下枠１４の外側上面１４ｂと接触するように、止水部材５０が下枠１４の上面１４ａ、１４ｂに載置されたときに、第１当接部５２ｃは弾性変形して外側上面１４ｂに沿うように屈曲し、外側上面１４ｂに押圧されて密着する。このとき、第１当接部５２ｃは凹部５２ｂ内で屈曲するため、第１当接部５２ｃが下枠１４の外側上面１４ｂと下面５２ａとの間に入り込むことはない。また、第２当接部５２ｄは弾性変形して内側上面１４ａに沿うように屈曲し、内側上面１４ａに押圧されて密着する。
【００２８】
止水部材５０の室内延出部５６には、止水部材５０の高さの約半分より下側に、室内延出部５６の右側面から左側面に亘って浴室内側にて繋がった弾性部材としてのスポンジ６０が設けられている。
【００２９】
本実施形態の止水部材５０は、下枠１４と左側の縦枠１５の保持板部１７との間に配置されている。具体的には、止水部材５０の下面５２ａが下枠１４の外側上面１４ｂに当接された状態にて、左側の縦枠１５の保持板部１７の下端が座部５２の上面に当接される。このとき、保持板部１７のシール保持部１７ｂは、止水部材５０の柱部５８と室内延出部５６及びスポンジ６０との間に配置され、保持板部１７の係合突部１７ａが柱部５８の係合部５８ａに入り込む。また、保持板部１７と室外側部５４との間には、間隙６２（図６の斑点部分）が設けられており、座部５２と保持板部１７との隙間、及び、スポンジ６０上の保持板部１７と室内延出部５６との隙間と連通している。そして、保持板部１７のシール保持部１７ｂに取り付けられた縦シール部材２８は、図６に示すように室内延出部５６の左側面のスポンジ６０を押圧して密着されており、下枠１４に設けられている下シール部材１９の左側端が室内延出部５６の右側面のスポンジ６０を押圧して密着されている。そして、折り戸２０が閉止されると左側の扉体２２の縦框２２ａに縦シール部材２８が当接され、左右の扉体２２、２４の下框２２ｂ、２４ｂに下シール部材１９が当接され、縦シール部材２８と下シール部材１９との間の角部に止水部材５０が設けられることにより、下枠１４と左の縦枠１５の保持板部１７との隙間を通って浴室外へ水が流出することを防止している。
【００３０】
本実施形態の建具１０によれば、浴室内の水が下枠１４の上面１４ａ、１４ｂと縦枠１５との隙間を通って浴室外へ流出することを防止するための止水部材５０が、下枠１４の外側上面１４ｂと当接される第１当接部５２ｃと、外側上面１４ｂより下方にて下枠１４に当接される第２当接部５２ｄとを有しているので、浴室内側の水が浴室外側に流出する方向に流れても、下枠１４の外側上面１４ｂと当接される第１当接部５２ｃと内側上面１４ａに当接される第２当接部５２ｄとによって、浴室外側への水の流出が阻止される。このため、浴室内側の水が浴室外側に、より浸入し難い建具１０を実現することが可能である。
【００３１】
また、第１当接部５２ｃ及び第２当接部５２ｄが可撓性を有しているので、第１当接部５２ｃ及び第２当接部５２ｄを下枠１４の上面１４ａ、１４ｂに沿わせて密着させて、浴室外側への水の浸入を防止することが可能である。また、第１当接部５２ｃは、座部５２の下面５２ａに設けられた上方に窪む凹部５２ｂから突出させて設けられているので、座部５２が下枠１４上に載置された際には、第１当接部５２ｃの突出している部位が下枠１４に押圧されるとともに下枠１４上に沿うように撓み変形する。このため、第１当接部５２ｃが下枠１４に密着されるので、浴室内の水が下枠１４の上面１４ａ、１４ｂを通って浴室外へ流出することを、より確実に防止することが可能である。また、第１当接部５２ｃが凹部５２ｂに設けられているので、第１当接部５２ｃの、下枠１４に当接されて撓んだ部位が凹部５２ｂに入り込むことが可能である。このため、第１当接部５２ｃが凹部５２ｂに入り込むことにより、座部５２の下面５２ａを下枠１４の外側上面１４ｂに密着させることが可能なので、座部５２の下面５２ａ全体としても浴室外側への水の浸入を防止すること可能である。
【００３２】
また、下枠１４と折れ戸２０の下框２２ｂ及び２４ｂとの間は下シール部材１９にてシールされており、下シール部材１９と止水部材５０との間にはスポンジ６０が介在されているので、下シール部材１９と止水部材５０との間も隙間なく密着され、折れ戸２０の下框２２ｂ及び２４ｂから止水部材５０までの領域を全域に亘って水が浴室外側に浸入することを防止することが可能である。
【００３３】
また、止水部材５０の座部５２上に保持板部１７の下端が当接されているので、座部５２上に浸入した水は、保持板部１７の浴室外側に位置する室外側部５４と保持板部１７との間隙６２に浸入する畏れがある。ところが、室外側部５４から繋がった室内延出部５６と保持板部１７に設けられた縦シール部材２８との間には室外側部５４及び室内延出部５６より高さが低いスポンジ６０が設けられているので、たとえ室外側部５４と保持板部１７との間隙６２に水が浸入したとしても、スポンジ６０の高さまでは室外側部５４と保持板部１７との間隙６２に水を貯留させることが可能である。そして、室外側部５４と保持板部１７との間隙６２に貯留された水の水位がスポンジ６０より高くなった場合には、スポンジ６０の上を流路として、室外側部５４と保持板部１７との間隙６２に貯留された水を浴室内側に流すことが可能である。
【００３４】
また、下枠１４に設けられた下シール部材１９はスポンジ６０と接触しているので、スポンジ６０を介して浴室外に流出する水を上部に設けられた溝部１９ａを通して見付け方向の反対側、すなわち右端側に排出させることが可能である。このため、左側の止水部材５０側にてスポンジ６０内及びスポンジ６０上を流れる水が多い場合には、下シール部材１９上の溝部１９ａを通して、見付け方向の反対側に位置する止水部材側に水を流すことにより、水が浴室外側に溢れ出ることを防止することが可能である。
【００３５】
また、止水部材５０の浴室外側の面には止水部材５０及び左側の縦枠１５から離れる方向に高さが低くなるようなスロープ５４ａが設けられているので、止水部材５０が設けられる建具１０の下隅に溜まりやすい埃等を隅から離れた位置に移動させることが可能である。特に、下隅に設けられる止水部材５０にスロープ５４ａを設けることにより、他の部材を設けることなく、下隅に埃等が溜まりにくく、また、清掃し易い構成とすることが可能である。
【００３６】
上記実施形態においては、止水部材５０の座部５２の上面を水平とし、その先端部を垂下させて第２当接部５２ｄを設けた例について説明したが、図７に示すように、座部５２の上面に、浴室内側に向かって降下する傾斜を設けてもよい。この場合にも、座部５２の浴室側の先端を第２当接部５２ｄとする。
【００３７】
上記実施形態においては、第１当接部５２ｃと第２当接部５２ｄとがいずれも可撓性を有する構成としたが、少なくともいずれか一方が可撓性を有する構成であっても構わない。
【００３８】
上記実施形態においては、止水部材５０の室内延出部５６の右側面から左側面に亘って浴室内側にて繋がった弾性部材としてのスポンジ６０が設けられている例について説明したが、スポンジ６０等の弾性部材は必ずしも設けられていなくとも良い。
【００３９】
また、上記実施形態の止水部材５０は、止水部材５０の下面５２ａが下枠１４の外側上面１４ｂに当接された状態にて、左側の縦枠１５の保持板部１７の下端が座部５２の上面に当接される例について説明したが、これに限るものではない。例えば、図８に示すように、止水部材７０が、上述した止水部材５０のような柱部５８を有してはおらず、既に接合された下枠１４と縦枠１５とに浴室外側から取り付けられる形態であっても構わない。この場合には、止水部材７０は、縦枠１５の保持板部１７に形成された係止凹部（不図示）に係止される上下二つの係止片７２と保持板部１７に形成されたガイド孔（不図示）に挿入されるガイド片７４とを有しており、第２当接部７０ａが下枠１４の上面と縦枠１５が有する保持板部１７の下端との間に挿入されるように、浴室外側から浴室内側に向かって止水部材７０を移動させて取り付ける。このような止水部材７０によれば、例えば、止水部材７０を損傷した場合であっても、枠体１２を取り外すことなく容易に止水部材７０のみ交換することが可能である。
【００４０】
また、上記実施の形態においては、障子として、折れ戸を例に挙げて説明したが、これに限定されるものではなく、例えば、障子は、開き戸であっても構わない。
【００４１】
また、建具として、浴室用の建具を例に挙げて説明したがこれに限定されるものではなく、例えば、シャワー室用の建具やプール用の建具であってもよい。本発明は、室内と室外との間に位置するどの建具にも、適用可能である。
【００４２】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４３】
【図１】本実施形態に係る建具の概略図である。
【図２】本実施形態に係る建具に設けられた止水部材を説明するための水平断面図である。
【図３】本実施形態に係る建具に設けられた止水部材を説明するための斜視図である。
【図４】本実施の形態に係る止水部材を説明するための斜視図である。
【図５】本実施の形態に係る止水部材を説明するための側面図である。
【図６】止水部材周辺を説明するための水平断面図である。
【図７】止水部材の変形例を示す図である。
【図８】取り付け方法が異なる止水部材を示す図である。
【符号の説明】
【００４４】
１０  建具、１２  枠体、１４  下枠、１４ａ  内側上面、１４ｂ  外側上面、
１５  左側の縦枠（縦枠）、１７  保持板部、１９  下シール部材、１９ａ  溝部、
２０  折れ戸、２８  縦シール部材、５０  止水部材、５２  座部、５２ａ  下面、
５２ｂ  凹部、５２ｃ  第１当接部、５２ｄ  第２当接部、５４  室外側部、
５４ａ  スロープ、５６  室内延出部、６０  スポンジ（弾性部材）、間隙６２、
７０  止水部材
【図１】
2008223274.tif 000003
【図２】
2008223274.tif 000004
【図３】
2008223274.tif 000005
【図４】
2008223274.tif 000006
【図５】
2008223274.tif 000007
【図６】
2008223274.tif 000008
【図７】
2008223274.tif 000009
【図８】
2008223274.tif 000010